(57)【要約】【課題】従来の管楽器の弱音器は、多数の側孔のある木管楽器では弱音効果が小さく、金管楽器においても息の吹き込み抵抗が大きくなるという違和感が指摘されていた。【解決手段】金管楽器・木管楽器のリード・リップリード・エアリード等の発音体から共鳴管へ通じる空気振動の経路の途中から分岐するバイパス管を設け楽器外部に引き出し，空気振動を楽器外部に排出することにより，共鳴管から発生する音を減少させる。バイパス管から発生する音はバイパス菅を自然減衰させる長さとすること、またはパッシブ消音器またはアクティブ消音器に導くことにより消音する。吹き込み抵抗の軽減と弱音を高めるためバイパス管内の空気をポンプで排出してもよい。【選択図】図１
2005326810.tif 000002
【特許請求の範囲】
【請求項１】
管楽器の発音体から共鳴管へ通じる音の経路の途中から分岐するバイパス管を設けることを特徴とする管楽器弱音方法。
【請求項２】
前記バイパス管が、楽器本体を傷つけることなく共鳴管内に挿入および取り外しができる管であることを特徴とする請求項１記載の管楽器弱音方法。
【請求項３】
前記バイパス管が、管楽器の一部に穴をあけ楽器外部に引き出された管であることを特徴とする請求項１記載の管楽器弱音方法。
【請求項４】
前記バイパス管が，楽器に穴をあけずに楽器のジョイント部分に分岐の機能をもたせた部品を入れて楽器外部に引き出された管であることを特徴とする請求項１記載の管楽器弱音方法。
【請求項５】
前記バイパス管末端から発生する音が自然減衰する長さをもつ前記バイパス管であることを特徴とする請求項１記載の管楽器弱音方法。
【請求項６】
前記バイパス管末端から発生する音をパッシブ消音器またはアクティブ消音器に導くことを特徴とする請求項１記載の管楽器弱音方法。
【請求項７】
前記バイパス管内の空気をポンプ等により強制排出することを特徴とする請求項１記載の管楽器弱音方法。
【請求項８】
前記バイパス管に自在に曲げられる素材を用いたことを特徴とする請求項１記載の管楽器弱音方法。
【請求項９】
前記バイパス管に吸音性の素材を用いたことを特徴とする請求項１記載の管楽器弱音方法。
【請求項１０】
前記バイパス管の共鳴管内での位置を保持するためのバイパス管外面部にべん毛状などの突起を複数取り付けたことを特徴とする請求項２記載の管楽器弱音方法。
【発明の詳細な説明】
【技術分野】
【０００１】  本発明は、サックス等の管楽器の弱音方法に関する。
【背景技術】
【０００２】  従来の管楽器の弱音方法は，音の出口が共鳴管末端にのみあるトランペット等の金管楽器（図２）においては共鳴管末端をミュートと呼ばれる部品で塞いで音が漏れないようにする方法（図３）が知られており，例えば，特許文献１，特許文献２および特許文献３はこの手法を応用している。特許文献３はミュートから中空菅により演奏者の耳に音を導く構造を有しているがこの中空菅は弱音の機能を有してはいない。一方，共鳴管が多数の側孔をもちこれらが音の出口となるサックス等の木管楽器（図４）では全ての出口にミュートを配置することは現実的ではないため、マウスピースの構造を改造し弱音を実現しようという試みがある。（例えば，特許文献４参照）。特許文献４は楽器のマウスピースに排出チャンネルを設け空気を楽器外部に排出する構造を有しているが，この排出チャンネルは音の回路とは独立しており弱音の機能を有してはいない。
【特許文献１】特開平８−１９４４７３号公報
【特許文献２】特開２００１−２８２２３３号公報
【特許文献３】特表平９−５０１２４３
【特許文献４】特表２０００−５１４５６７号公報
【発明の開示】
【発明が解決しようとする課題】
【０００３】しかしながら、以上の技術によれば、
従来の管楽器の弱音方法にあっては，金管楽器では共鳴管末端を塞ぐため息の吹き込み抵抗が大きくなるという問題が指摘されていた。多数の側孔のある木管楽器では共鳴管末端を塞いでも弱音効果が期待できず，マウスピースの改造による弱音方法は現実的でなく普及していない。【０００４】  本発明は、木管楽器を含めた管楽器に有効な弱音方法を提供することを目的課題としており，さらに吹き込み抵抗の増大を軽減し，楽器を傷つけない現実的な弱音方法を提供することを目的とする。
【課題を解決するための手段】
【０００５】  上記目的を達成するために，本発明の弱音方法においては，管楽器のリード・リップリード・エアリード等の発音体から共鳴管へ通じる音の経路の途中から分岐するバイパス管を設け，共鳴管から発生する音を減少させる方法である。【０００６】  発音体の振動の運動エネルギーが、共鳴管内の空気に伝わり楽器音が生じるが，バイパス管を設けることにより，バイパスを経由する空気の振動の運動エネルギーは減衰しながら外部に伝わり，管楽器共鳴管内の空気の振動の運動エネルギーは少なくなる。バイパス末端から発生する音は，自然減衰・パッシブ消音・アクティブ消音などの一般の従来技術で消音できる。このようにして楽器から発生する音が弱くなる。【０００７】  上記バイパス管が分岐する位置は，トランペット等の金管楽器においては，または共鳴管末端開口部に最も近い管長可変装置と共鳴管末端開口部の間（図５）または発音体と発音体に最も近い管長可変装置（バルブやスライド）との間であり（図６），サックス等の木管楽器においては発音体と発音体に最も近い側孔との間である（図７）。【０００８】  上記バイパス管を、楽器を傷つけることなく共鳴管内に配置するために，共鳴管内を経由して共鳴管末端から楽器外部に引き出してもよい。【０００９】  上記バイパス管を、共鳴管内を経由して配管するために，自在に曲げられる素材を用いるかまたは分解及び連結の可能な複数の管とするとよい。【００１０】  バイパス管外部にべん毛状の突起を複数取り付けて，上記バイパス管の共鳴管内での位置の保持に役立てるとよい。【００１１】  音色を重視するために上記バイパス管が共鳴管内を経由することを好まないなどの理由または金管楽器において管長可変装置部へのバイパス管の配管を避ける理由のために，管楽器の一部に穴をあけて上記バイパス管を楽器外部に引き出して配管することもできる。【００１２】  音色を重視するために上記バイパス管が共鳴管内を経由することを好まないなどの理由または金管楽器において管長可変装置部へのバイパス管の配管を避ける理由のために，楽器に穴をあけずに楽器のジョイント部分に分岐の機能をもたせた部品を入れて上記バイパス管を楽器外部に引き出してもよい。【００１３】  前記バイパス管末端から発生する音は，バイパス管を長くして自然減衰させてもよい。【００１４】  前記バイパス管末端から発生する音は，バイパス管をパッシブ消音器またはアクティブ消音器に接続して消音することもできる。【００１５】  前記バイパス管末端から発生する音は，前記バイパス管に吸音性の素材を用いて消音することもできる。【００１６】  前記バイパス管内の空気は，吹き込むことにより外部に排出されるので，吹き込み抵抗の増大を軽減する効果がある。【００１７】  前記バイパス管内の空気をポンプ等により強制排出することは，吹き込み抵抗の増大をさらに軽減する効果がある。【００１８】  前記バイパス管内の空気をポンプ等により強制排出することは，バイパス管内を経由する空気の体積を増やすことになり，バイパス管に入らず共鳴管内を経由する空気体積の比率を減少させるという弱音効果がある。【００１９】  管楽器のリード等の発音体から共鳴管へ通じる音の経路の途中からバイパス管が分岐する部位において，バイパス管方向にのみ開き共鳴管方向へは閉じて共鳴管へ空気が流入できない構造としてもよい。この場合，バイパス管壁を介して振動が共鳴管内の空気に伝わり共鳴管の形状に対応した音が発生するようにしてもよい。【００２０】  バイパス管を外径が一定の中空管とせず、管楽器共鳴管で発生する音の音色等を考慮した外形状をもつ中空管としても良い。
【発明の効果】
【００２１】  この実施形態によれば、金管楽器においても木管楽器においても，バイパス管の働きで、共鳴管から発生する音が弱くなる。【００２２】  この実施形態によれば、共鳴管末端を完全に塞がないので吹き込み抵抗の違和感が軽減される。弱音のために弱く吹き込むことを要求しないので違和感は小さい。【００２３】  上記のバイパス管外面部のべん毛状の突起は，上記バイパス管が側孔を塞ぐなどの問題を避ける効果がある。
【発明を実施するための最良の形態】
【００２４】  この発明の一実施形態を、図１に示す。
管楽器共鳴管２内の管楽器発音体１近傍に、バイパス管５の開口部があり、バイパス管５は管楽器共鳴管２内を通り管楽器共鳴管２の末端開口部３から楽器外部に伸び、ポンプ７を経由してパッシブ消音器またはアクティブ消音器６に接続されている。管楽器共鳴管２内のバイパス管５の外面部にはべん毛状の突起８が多数取り付けられ楽器の側孔４を塞がない位置に保持されている。
【図面の簡単な説明】
【００２５】
【図１】発明の一実施形態を示した模式図である。
【図２】金管楽器の模式的構造と音の発生を太い矢印で示した模式図である。
【図３】金管楽器の弱音法の従来技術を示す模式図である。
【図４】木管楽器の模式的構造と音の発生を太い矢印で示した模式図である。
【図５】金管楽器におけるバイパス管の分岐位置を共鳴管末端開口部近くに配置した場合の模式図である。
【図６】金管楽器におけるバイパス管の分岐位置を発音体近くに配置した場合の模式図である。
【図７】木管楽器におけるバイパス管の分岐位置を示した模式図である。
【符号の説明】
【００２６】      １  管楽器発音体（リード・リップリード・エアリード等）
２  管楽器共鳴管
３  共鳴管末端開口部
４  木管楽器の側孔
５  バイパス管
６  パッシブ消音器またはアクティブ消音器
７  ポンプ
８  べん毛状の突起
９  金管楽器の管長可変装置（バルブ，スライドなど）
１０  ミュート
【図１】
2005326810.tif 000003
【図２】
2005326810.tif 000004
【図３】
2005326810.tif 000005
【図４】
2005326810.tif 000006
【図５】
2005326810.tif 000007
【図６】
2005326810.tif 000008
【図７】
2005326810.tif 000009